(57)【要約】【課題】ワイヤ積層体から引き出された溶接用ワイヤに回転が生じることをなくし、ワイヤ同士の絡みの発生を確実に防止することができる容器入り溶接用ワイヤを得ること。【解決手段】容器１と、この容器１内にこれと同心状に設けられた内筒２と、容器１と内筒２との間にループ状で且つ円筒状に積層された溶接用ワイヤＷと、このワイヤ積層体Ｗ’の上面に載置されたワイヤ押え治具３とを備え、溶接用ワイヤＷを容器軸線方向に引き出す容器入り溶接用ワイヤにおいて、容器１と内筒２との間に配され、前記ワイヤ押え治具３上において内筒２を間隔をあけて囲繞し、狭められたワイヤ引き出し空間Ｓを形成するワイヤ引き出し空間規制用筒状体４を備えている容器入り溶接用ワイヤ。【選択図】　　　　　図１
2004025220.tif 000002
【特許請求の範囲】
【請求項１】
容器と、この容器内にこれと同心状に設けられた内筒と、前記容器と前記内筒との間にループ状で且つ円筒状に積層された溶接用ワイヤと、このワイヤ積層体の上面に載置されたワイヤ押え治具とを備え、前記溶接用ワイヤを容器軸線方向に引き出す容器入り溶接用ワイヤにおいて、
前記容器と前記内筒との間に配され、前記ワイヤ押え治具上において前記内筒を間隔をあけて囲繞し、狭められたワイヤ引き出し空間を形成するワイヤ引き出し空間規制用筒状体を備えていることを特徴とする容器入り溶接用ワイヤ。
【請求項２】
前記ワイヤ引き出し空間規制用筒状体が多角筒形であることを特徴とする請求項１記載の容器入り溶接用ワイヤ。
【請求項３】
請求項１又は２記載の容器入り溶接用ワイヤにおいて、前記ワイヤ引き出し空間規制用筒状体が、輸送の際に前記ワイヤ積層体を固定するためのワイヤ積層体拘束治具をも構成していることを特徴とする容器入り溶接用ワイヤ。
【請求項４】
請求項３記載の容器入り溶接用ワイヤにおいて、前記ワイヤ積層体拘束治具が、前記ワイヤ引き出し空間規制用筒状体と、該ワイヤ引き出し空間規制用筒状体に取り付けられる弾性体と、前記弾性体を介して前記ワイヤ引き出し空間規制用筒状体を下方に押圧することで前記ワイヤ積層体を固定する筒状枠体とにより構成されていることを特徴とする容器入り溶接用ワイヤ。
【請求項５】
溶接用ワイヤがアルミニウム又はアルミニウム合金ワイヤであることを特徴とする請求項１、２、３又は４記載の容器入り溶接用ワイヤ。
【発明の詳細な説明】
【０００１】
【発明の属する技術分野】
本発明は、容器とその内側の内筒との間にループ状で且つ円筒状に積層された溶接用ワイヤと、このワイヤ積層体の上面に載置されたワイヤ押え治具とを備え、溶接用ワイヤを容器軸線方向に引き出す容器入り溶接用ワイヤに関するものである。
【０００２】
【従来の技術】
周知のように、アーク溶接ロボット等の自動溶接装置による自動溶接では、溶接用ワイヤの交換頻度を減らして溶接作業効率の向上を図るため、容器内に大容量の溶接用ワイヤ（例えば、鋼溶接用の場合、ワイヤ径１．２ｍｍφで１００〜３００ｋｇ、アルミニウム又はアルミニウム合金溶接用の場合、ワイヤ径１．２ｍｍφで５０〜１５０ｋｇ）をループ状で且つ円筒状（厚肉円筒状）に積層し収納してなる容器入り溶接用ワイヤが使用されている。このような容器入り溶接用ワイヤでは、積層面に対して垂直方向に、すなわち、円筒状（厚肉円筒状）をなすワイヤ積層体の軸線方向（容器軸線方向）に溶接用ワイヤ（以下、単にワイヤという）が引き出されるように容器内に収納されているので、このワイヤを引き出したときに、ワイヤ周方向に捻れが発生することになる。そこで、容器入り溶接用ワイヤでは、容器にワイヤを収納する際に、ワイヤを引き出した後の捻れが相殺されてゼロとなるようにすべく、予めワイヤに捻れを与えて収納するようになされている。
【０００３】
このように、容器入り溶接用ワイヤでは、容器内に予め捻れを与えた状態でワイヤをループ状で且つ円筒状に積層し収納している。このため、容器入り溶接用ワイヤでは、収納した最後尾のループ状ワイヤから１ループずつ（１輪ずつ）巻き解いて順序よく引き出す必要性があり、その際、今回のループ状ワイヤを引き出す時に次に引き出されるループ状ワイヤの収納状態に悪影響を与えてトラブルを引き起こすことなく円滑に引き出すようにする必要がある。
【０００４】
そして従来、この種の容器入り溶接用ワイヤに関する代表的な先行技術として、特開２０００−２０２６３０号公報に溶接ワイヤ充填ペイルが開示されている。図１０は従来の溶接ワイヤ充填ペイルを示す図であって、内・外筒の軸線と垂直方向の断面図である。図１１は図１０におけるワイヤ押え治具の斜視図である。
【０００５】
この従来の溶接ワイヤ充填ペイルは、図１０及び図１１に示すように、同心状に配置された内筒５６及び外筒５２と、これらの間にループ状で且つ円筒状に積層されたワイヤＷと、この厚肉の円筒状をなすワイヤ積層体の上面に載置されたワイヤ押え治具６０とを備えている。外筒５２は有底円筒状をなし、内筒５６は円筒状をなしている。また、ワイヤ押え治具６０が、外筒５２の内周面寄りに位置するリング６２と、このリング６２の内周縁から求心状に突設され平面視で略三角形を呈し且つ先細の先端部を内筒５６の外周面に接触可能とした複数のガイド片６４とを有して構成されている。符号６８は、リング６２の外周縁に沿って立設され、外筒２の内周面に接触する接触帯である。
【０００６】
このような溶接ワイヤ充填ペイル（容器入り溶接用ワイヤ）においては、内筒５６と外筒５２間から引出されるワイヤＷは、内筒５６寄りの位置と外筒５２寄りの位置との間を繰返し略ジグザグ状に移動するが、複数のガイド片６４の形状がこのようなワイヤの引出し時の動きに対応しているため、ワイヤ押え治具６０を跳ね上げ難くする。これにより、引出される途中におけるワイヤに細かな絡みやもつれが生じるのを防止するようにしている。
【０００７】
一方、容器入り溶接用ワイヤでは、輸送に際し、ワイヤ積層体を形成するループ状ワイヤ同士の絡みが輸送過程で起こる振動などによって発生することを防止すべく、ワイヤ積層体を固定するためのワイヤ積層体拘束治具が用いられている。図１２は従来のワイヤ積層体拘束治具の構成要素である筒状本体枠を示す図であって、その（ａ）は平面図、その（ｂ）は正面図である。図１３は従来のワイヤ積層体拘束治具の構成要素である筒状枠体を示す図であって、その（ａ）は平面図、その（ｂ）は正面図である。また、図１４は従来のワイヤ積層体拘束治具を説明するための断面図である。
【０００８】
図１４に示すように、容器入り溶接用ワイヤは、容器４１と、この容器４１内にこれと同心状に設けられた内筒４２と、容器４１と内筒４２との間に溶接用ワイヤがループ状で且つ円筒状に積層されたワイヤ積層体Ｗ’と、このワイヤ積層体Ｗ’の上面に載置される環状をなすワイヤ押え治具４３とを備えている。この容器入り溶接用ワイヤでは、輸送に際し、ワイヤ積層体Ｗ’を固定するためにワイヤ積層体拘束治具が用いられる。ワイヤ積層体拘束治具は、筒状本体枠４４、これに張設された弾性体としての無端状の帯状ゴム紐４５、及び筒状枠体４６により構成されている。
【０００９】
筒状本体枠４４は、図１２及び図１４に示すように、所要の高さを有して四角筒形をなし、内筒４２に外嵌する状態でワイヤ押え治具４３の上に載置されている。この筒状本体枠４４の内側における上端近傍の各角部に帯状ゴム紐４５が張設されている。図１２に示すように、四角筒形の筒状本体枠４４の４つの各周壁には帯状ゴム紐４５を通すためのゴム通し孔４４ａが適宜の間隔であけられている。帯状ゴム紐４５は、これらのゴム通し孔４４ａを介して各角部の内側を通り、さらに各周壁の外側を通って張設されている。また、筒状枠体４６は、図１３及び図１４に示すように、所要の高さを有して四角筒形をなし、周壁下端部が前記帯状ゴム紐４５の各角部に上方から当接する状態で筒状本体枠４４の内側に嵌めて位置され、かつ、内筒４２に外嵌可能な大きさに構成されている。筒状枠体４６の周壁下端部には、帯状ゴム紐４５にひっかかるようにするための係合切欠部４６Ａが形成されている。
【００１０】
輸送の際には、図１４において、筒状枠体４６の上に容器４１の図示しない円盤状の蓋を載置し、この蓋を介して筒状枠体４６を押え付けながら前記蓋を容器４１上端に固定する。これにより、筒状枠体４６が帯状ゴム紐４５を下方へ伸ばしながら内筒４２を囲繞して下降し、この筒状枠体４６によって帯状ゴム紐４５を介して筒状本体枠４４を下方へ押圧することでワイヤ積層体Ｗ’を固定するようにしている。
【００１１】
【発明が解決しようとする課題】
ところが、前述した従来の溶接ワイヤ充填ペイル（容器入り溶接用ワイヤ）では、外筒５２と内筒５６との間に形成される円筒状空間において、ワイヤ積層体から引き出されたワイヤＷが、予め捻れが付与された際の捻れ塑性変形分の蓄積に起因して回転（回動）し、これによってワイヤＷ同士の絡みが生じるという欠点があった。
【００１２】
また、前述した従来のワイヤ積層体拘束治具では、弾性体が取り付けられた筒状本体枠と、ワイヤ積層体を固定するために前記弾性体に当接して弾性作用を発揮させるための筒状枠体との両方を、輸送に際して装着したり、溶接現場での使用開始に先立って取り外したりする必要があることから、ワイヤ積層体拘束治具の着脱に手間がかかって作業性が悪いという欠点があった。
【００１３】
そこで、本発明の目的は、ワイヤ引き出し空間規制用筒状体により、ワイヤ積層体から引き出された溶接用ワイヤをワイヤ引き出し空間規制用筒状体と内筒との間に形成してなる狭められたワイヤ引き出し空間を通過させるようにすることで、ワイヤ積層体から引き出された溶接用ワイヤに回転が生じることをなくし、これによってワイヤ同士の絡みの発生を確実に防止して、溶接用ワイヤの円滑な引き出しを行うことができるようにした容器入り溶接用ワイヤを提供することにある。また、本発明の他の目的は、前記ワイヤ引き出し空間規制用筒状体を利用して、輸送の際にワイヤ積層体を固定するためのワイヤ積層体拘束治具を構成することにより、ワイヤ積層体拘束治具の着脱に手間がかからず作業性に優れた容器入り溶接用ワイヤを提供することにある。
【００１４】
【課題を解決するための手段】
前記目的を達成するために、本願発明では次の技術的手段を講じている。請求項１の発明は、容器と、この容器内にこれと同心状に設けられた内筒と、前記容器と前記内筒との間にループ状で且つ円筒状に積層された溶接用ワイヤと、このワイヤ積層体の上面に載置されたワイヤ押え治具とを備え、前記溶接用ワイヤを容器軸線方向に引き出す容器入り溶接用ワイヤにおいて、前記容器と前記内筒との間に配され、前記ワイヤ押え治具上において前記内筒を間隔をあけて囲繞し、狭められたワイヤ引き出し空間を形成するワイヤ引き出し空間規制用筒状体を備えていることを特徴とする容器入り溶接用ワイヤである。
【００１５】
請求項２の発明は、請求項１記載の容器入り溶接用ワイヤにおいて、前記ワイヤ引き出し空間規制用筒状体が多角筒形であることを特徴とするものである。
【００１６】
請求項３の発明は、請求項１又は２記載の容器入り溶接用ワイヤにおいて、前記ワイヤ引き出し空間規制用筒状体が、輸送の際に前記ワイヤ積層体を固定するためのワイヤ積層体拘束治具をも構成していることを特徴とするものである。
【００１７】
請求項４の発明は、請求項３記載の容器入り溶接用ワイヤにおいて、前記ワイヤ積層体拘束治具が、前記ワイヤ引き出し空間規制用筒状体と、該ワイヤ引き出し空間規制用筒状体に取り付けられる弾性体と、前記弾性体を介して前記ワイヤ引き出し空間規制用筒状体を下方に押圧することで前記ワイヤ積層体を固定する筒状枠体とにより構成されていることを特徴とするものである。
【００１８】
請求項５の発明は、請求項１、２、３又は４記載の容器入り溶接用ワイヤにおいて、溶接用ワイヤがアルミニウム又はアルミニウム合金ワイヤであることを特徴とするものである。
【００１９】
本発明による容器入り溶接用ワイヤは、ワイヤ積層体の上面に、弾性変形可能で内歯車状をなす複数のワイヤ押え片を有するワイヤ押え治具が載置されており、さらにこの内歯車状をなす複数のワイヤ押え片の上に、多角筒形などの筒状をなすワイヤ引き出し空間規制用筒状体が載置されている。ワイヤ引き出し空間規制用筒状体は、ワイヤ積層体を形成しているワイヤが順次引き出されて該ワイヤ積層体が徐々に減るに従ってワイヤ押え治具とともに下降して行く。このワイヤ引き出し空間規制用筒状体により、ワイヤ押え治具上における容器と内筒間の厚肉円筒状の空間が内外に仕切られて、例えば、ワイヤ引き出し空間規制用筒状体と内筒との間には、該引き出し空間規制用筒状体がない場合に比べて狭められた筒状空間からなるワイヤ引き出し空間が形成される。
【００２０】
そして、このワイヤ引き出し空間規制用筒状体が内歯車状をなす複数のワイヤ押え片の上に載置されているので、ワイヤ積層体からのワイヤは、容器と内筒間の半径方向におけるワイヤ引き出し空間規制用筒状体の位置より内筒側寄り位置においてその部位に位置するワイヤ押え片が弾性変形することにより、前記狭められたワイヤ引き出し空間内に導かれて内筒外周面に接触し、しかる後、この狭められたワイヤ引き出し空間内を上方へ引き上げられることになる。
【００２１】
このように、ワイヤ引き出し空間規制用筒状体により、ワイヤ積層体から引き出されたワイヤを、ワイヤ引き出し空間規制用筒状体と内筒との間に形成した狭められた筒状空間からなるワイヤ引き出し空間を通過させるようにしている。これにより、本発明による容器入り溶接用ワイヤによれば、ワイヤ引き出しに際し、ワイヤ積層体から引き出されたワイヤがその予め捻れが付与された際の捻れ塑性変形分の蓄積に起因して回転することをなくて、ワイヤ同士の絡みの発生を確実に防止することができる。
【００２２】
また、本発明による容器入り溶接用ワイヤによれば、前記ワイヤ引き出し空間規制用筒状体を備えるとともに、このワイヤ引き出し空間規制用筒状体を利用して、輸送の際にワイヤ積層体を固定するためのワイヤ積層体拘束治具をも構成するようにしているので、従来に比べてワイヤ積層体拘束治具の着脱に手間がかからず作業性に優れている。
【００２３】
本発明による容器入り溶接用ワイヤは、特に、アルミニウム又はアルミニウム合金ワイヤに対して好適である。アルミニウム又はアルミニウム合金ワイヤは、鋼製ワイヤと比較すると、比重が約１／３で軽く、また、軟らかいことから、容器内を自由に動き易いので、より適切な容器入り溶接用ワイヤが必要となる。特に、軟質系アルミニウム合金ワイヤ（１０００系、４０００系）は、ワイヤ同士の絡みによる塑性変形を生じさせないように引き出す必要がある。本発明による容器入り溶接用ワイヤによれば、ワイヤ引き出し空間規制用筒状体を備え、ワイヤ積層体から引き出されたワイヤを狭められた筒状空間からなるワイヤ引き出し空間を通過させるようにしているので、アルミニウム又はアルミニウム合金のワイヤであっても、ワイヤ積層体から引き出されたワイヤがワイヤ引き出し空間にて回転することがなく、ワイヤ同士の絡みの発生を確実に防止して、ワイヤの円滑な引き出しを行うことができる。
【００２４】
【発明の実施の形態】
以下、図面を参照して本発明の実施の形態について説明する。
【００２５】
図１は本発明の第１実施形態による容器入り溶接用ワイヤを模式的に示す一部破断斜視図、図２は図１に示す容器入り溶接用ワイヤの模式的断面図である。また、図３は図１におけるワイヤ押え治具の模式的平面図、図４は図１におけるワイヤ押え治具の模式的断面図、図５は図１におけるワイヤ引き出し空間規制用筒状体によるワイヤ引き出し空間を説明するための図である。
【００２６】
図１及び図２に示すように、有底円筒をなす容器１の内側に、容器１と同心状に円筒形の内筒２が設けられている。容器１及び内筒２は、例えば積層紙材からなっている。この容器１と内筒２との間に、ほぼ一定の径のループ状をなすワイヤＷが厚肉円筒状に積層されて充填されている。ワイヤＷは、例えば、ワイヤ径１．２ｍｍφのアルミニウム合金のワイヤである。さらに、容器１と内筒２との間に積層充填されたワイヤＷによる厚肉の円筒状をなすワイヤ積層体Ｗ’の上面に、ワイヤＷがループ状のまま上昇することを防ぐための、全体として環状をなすワイヤ押え治具３が載置されている。
【００２７】
ワイヤ押え治具３は、図１、図３及び図４に示すように、容器１の内周面に沿って位置する環状枠体３ａと、この環状枠体３ａから内方に内歯車状に突設された弾性変形可能な複数のワイヤ押え片３ｂとにより構成されている。弾性変形可能で内歯車状をなす複数のワイヤ押え片３ｂは、平面視で先細の略三角形状をなし、先端部が内筒２の外周面に近接する状態でワイヤ積層体Ｗ’の上面に位置する構成となされている。そして、これらワイヤ押え片３ｂの垂直上方に延びる基端部が環状枠体３ａの外周面に固着されている。なお、図３では、ワイヤ押え片３ｂの基端部については図示省略している。
【００２８】
前記ワイヤ押え片３ｂは、図１及び図３に示すように、平面視において、容器１（内筒２）の円中心点に向かって求心状をなすのではなく、ワイヤ積層体Ｗ’からワイヤＷが巻き解かれる方向（図１及び図３における反時計方向）に傾斜させて設けられている。このように平面視においてワイヤ押え片３ｂを傾斜させることにより、ワイヤ積層体Ｗ’からのワイヤＷがその巻き解かれる方向へ円滑に引き出されるようになされている。
【００２９】
前記環状枠体３ａは、比較的薄肉のリング状をなし、例えば積層紙材からなっている。また、ワイヤ押え片３ｂは、弾性材製の薄いシートからなっている。ワイヤ押え片３ｂの弾性材の材質としては、ポリエステル樹脂、ポリプロピレン樹脂、塩化ビニール樹脂、ポリカーボネート、ポリエチレンテレフタレート（ＰＥＴ）等の適度な弾性を有し、繰り返し曲げに対しても十分な強度を持つ材料が好適である。
【００３０】
また、図１、図２及び図５に示すように、内歯車状をなすワイヤ押え片３ｂの上に、この実施形態では六角筒形をなし、所要の高さを有するワイヤ引き出し空間規制用筒状体４が載置されている。ワイヤ引き出し空間規制用筒状体４は、容器１と内筒２との間に配され、ワイヤ押え治具３（ワイヤ押え片３ｂ）上において内筒２を間隔をあけて囲繞し、狭められたワイヤ引き出し空間ワイヤＳ（図５では斜線部）を形成している。この引き出し空間規制用筒状体４は、ワイヤ押え治具３の環状枠体３ａの内周面に内接している。この六角筒形をなす薄肉のワイヤ引き出し空間規制用筒状体４は、例えば段ボールからなっている。
【００３１】
このように構成される第１実施形態の容器入り溶接用ワイヤにおいては、ワイヤ積層体Ｗ’からのワイヤＷは、容器１と内筒２間の半径方向におけるワイヤ引き出し空間規制用筒状体４の位置より内筒２側寄り位置においてその部位に位置するワイヤ押え片が弾性変形することにより、前記狭められたワイヤ引き出し空間Ｓ内に導かれる。次いで、ワイヤ積層体Ｗ’からのワイヤＷは、内筒２外周面に接触し、しかる後、この狭められたワイヤ引き出し空間Ｓ内を上方へ引き上げられることになる。
【００３２】
このように、ワイヤ引き出し空間規制用筒状体４により、ワイヤ積層体Ｗ’から引き出されたワイヤＷを、ワイヤ引き出し空間規制用筒状体４と内筒２との間に形成した狭められた筒状空間からなるワイヤ引き出し空間Ｓを通過させるようにしている。これにより、本実施形態の容器入り溶接用ワイヤによれば、ワイヤ積層体Ｗ’から引き出されたワイヤＷがその予め捻れが付与された際の捻れ塑性変形分の蓄積に起因してワイヤ引き出し空間Ｓにて回転することをなくて、ワイヤ同士の絡みの発生を確実に防止することができる。
【００３３】
この実施形態では、ワイヤ引き出し空間規制用筒状体４の形状を六角筒形とした。この場合、自由空間比率Ｓｒは、Ｓｒ＝（Ｓ２／Ｓ１）×１００％＝６０％となる。ここで、Ｓ１は平面視において容器１と内筒２との間に形成される断面積であり、Ｓ２は平面視においてワイヤ引き出し空間規制用筒状体と内筒２との間に形成される断面積である。ワイヤ引き出し空間規制用筒状体の形状は、抵抗なくスムースに安定してワイヤ引き出しを行うためには、自由空間比率Ｓｒが６０〜８０％の範囲となるものがよい。この範囲を下回ると引き出し時にワイヤにかかる抵抗が大きくなってしまう、一方この範囲を上回るとワイヤ引き出し空間形成効果が十分に得られない。ワイヤ引き出し空間規制用筒状体の形状が、八角筒形の場合には自由空間比率Ｓｒは８０％となり、良好なワイヤ引き出し空間形成効果が得られ、五角筒形の場合には自由空間比率Ｓｒは５０％となり、良好なワイヤ引き出し空間形成効果が得られない。なお、ワイヤ引き出し空間規制用筒状体の形状は、多角筒形に限定されず、円筒形でもよい。円筒形のワイヤ引き出し空間規制用筒状体の場合、自由空間比率Ｓｒが６０〜８０％の範囲となるように大きさを設定すればよい。なお、多角筒形のワイヤ引き出し空間規制用筒状体は、その頂点部が、容器１の内周面、詳しくワイヤ押え治具３の環状枠体３ａの内周面に接触させて載置することができるので、傾斜することがなく安定性に優れるという利点がある。
【００３４】
次に、本発明の第２実施形態による容器入り溶接用ワイヤについて説明する。
【００３５】
図６は本発明の第２実施形態による容器入り溶接用ワイヤを模式的に示す一部破断斜視図である。図７は図６におけるワイヤ引き出し空間規制用筒状体を示す図であって、その（ａ）は平面図、その（ｂ）は正面図である。図８はワイヤ積層体拘束治具の構成要素である筒状枠体を示す図であって、その（ａ）は平面図、その（ｂ）は正面面図である。図９はワイヤ積層体拘束治具を説明するための断面図である。ここで、前記図１〜図５に示される容器入り溶接用ワイヤと同一部分には図１〜図５と同一の符号を付すことによりその説明を省略し、異なる点について説明する。
【００３６】
図６に示すように、この実施形態の容器入り溶接用ワイヤに備えられたワイヤ引き出し空間規制用筒状体５は、六角筒形をなしており、内歯車状をなすワイヤ押え片３ｂの上に載置され、容器１と内筒２との間の円筒状空間を内外に仕切って狭められたワイヤ引き出し空間Ｓを形成している。ワイヤ引き出し空間規制用筒状体５は、例えば段ボールからなっている。このワイヤ引き出し空間規制用筒状体５の内側の周壁上端近傍における６つの頂点部分（コーナー部分）に、弾性体としての帯状ゴム紐６Ａ〜６Ｆが張設されている。
【００３７】
図７に示すように、ワイヤ引き出し空間規制用筒状体５は、六角筒形をなす６つの各周壁における上端近傍の頂点部分に、帯状ゴム紐６を通すためのゴム通し孔５ａが適宜の間隔であけられている。この空間規制用筒状体５の６つの頂点部分に、帯状ゴム紐６Ａ〜６Ｆが、ゴム通し孔５ａを介して周壁の外側を通って、周壁の内側にそれぞれ張設されている。
【００３８】
筒状枠体７は、ワイヤ引き出し空間規制用筒状体５及び帯状ゴム紐６Ａ〜６Ｆとともにワイヤ積層体拘束治具を構成するものである。この筒状枠体７は、図８及び図９に示すように、所要の高さを有して六角筒形をなし、周壁下端部が帯状ゴム紐６Ａ〜６Ｆに上方から当接する状態でワイヤ引き出し空間規制用筒状体５の内側に嵌めて位置され、かつ、内筒２に外嵌可能な大きさに構成されている。筒状枠体７の周壁下端部には、帯状ゴム紐６Ａ〜６Ｆにひっかかるようにするための複数の係合切欠部７ａが形成されている。六角筒形をなす薄肉の筒状枠体７は、例えば段ボールからなっている。
【００３９】
このように、第２実施形態の容器入り溶接用ワイヤは、ワイヤ引き出し空間規制用筒状体５により、ワイヤ積層体Ｗ’から引き出されたワイヤＷを、ワイヤ引き出し空間規制用筒状体５と内筒２との間に形成した狭められた筒状空間からなるワイヤ引き出し空間Ｓを通過させるよう構成されている。これにより、この第２実施形態の容器入り溶接用ワイヤによれば、ワイヤ引き出しに際し、ワイヤ積層体Ｗ’から引き出されたワイヤＷがその予め捻れが付与された際の捻れ塑性変形分の蓄積に起因して回転することをなくて、ワイヤ同士の絡みの発生を確実に防止することができる。
【００４０】
また、輸送の際には、図９に示すように、ワイヤ引き出し空間規制用筒状体５の内側に筒状枠体７を嵌装する。次いで、この筒状枠体７の上に容器１の図示しない円盤状の蓋を載置し、この蓋を介して筒状枠体７を押え付けながら前記蓋を容器１上端に固定する。これにより、筒状枠体７が帯状ゴム紐６Ａ〜６Ｆを下方へ伸ばしながら内筒２を囲繞して下降し、この筒状枠体７によって緩衝機能を持つ帯状ゴム紐６Ａ〜６Ｆを介してワイヤ引き出し空間規制用筒状体５を下方へ押圧することで、ワイヤ積層体Ｗ’を固定することができる。一方、輸送後の使用開始の際には、帯状ゴム紐６Ａ〜６Ｆが張設されたワイヤ引き出し空間規制用筒状体５はそのままにして、筒状枠体７のみを取り外せばよい。
【００４１】
このように、第２実施形態の容器入り溶接用ワイヤによれば、ワイヤ引き出し空間規制用筒状体５により、ワイヤ積層体Ｗ’から引き出されたワイヤＷに回転による絡みが発生することを確実に防止できることに加え、このワイヤ引き出し空間規制用筒状体５を利用して、輸送の際にワイヤ積層体Ｗ’を固定するためのワイヤ積層体拘束治具をも構成するようにしているので、ワイヤ引き出し空間規制用筒状体５をそのままで、筒状枠体７のみを着脱すればよく、従来に比べてワイヤ積層体拘束治具の着脱に手間がかからず、作業性に優れている。
【００４２】
なお、ワイヤ積層体拘束治具の構成については、第２実施形態では、ワイヤ引き出し空間規制用筒状体５と、これに張設された帯状ゴム紐６Ａ〜６Ｆと、筒状枠体７とによって構成するようにしたが、これに限定されない。例えば、周壁上端部に係合切欠部を有するワイヤ引き出し空間規制用筒状体と、前記ワイヤ引き出し空間規制用筒状体に外嵌可能な大きさの筒状枠体と、この筒状枠体に張設された帯状ゴム紐とによってワイヤ積層体拘束治具を構成することも可能である。この場合でも、ワイヤ引き出し空間規制用筒状体をそのままで、帯状ゴム紐が張設された筒状枠体のみを着脱すればよく、着脱に手間がかからず、作業性を向上させることができる。
【００４３】
【発明の効果】
以上述べたように、本発明による容器入り溶接用ワイヤによれば、容器と内筒との間に配され、ワイヤ押え治具上において内筒を間隔をあけて囲繞し、狭められたワイヤ引き出し空間を形成するワイヤ引き出し空間規制用筒状体を備え、ワイヤ積層体から引き出された溶接用ワイヤを前記狭められたワイヤ引き出し空間を通過させるようにしたものであるから、ワイヤ積層体から引き出された溶接用ワイヤに回転が生じることをなくし、ワイヤ同士の絡みの発生を確実に防止することができ、溶接用ワイヤの円滑な引き出しを行うことができる。
【００４４】
また、ワイヤ引き出し空間規制用筒状体が、輸送の際にワイヤ積層体を固定するためのワイヤ積層体拘束治具をも構成しているものでは、前記効果に加え、従来に比べてワイヤ積層体拘束治具の着脱に手間がかからず、作業性を向上させることができる。
【図面の簡単な説明】
【図１】本発明の第１実施形態による容器入り溶接用ワイヤを模式的に示す一部破断斜視図である。
【図２】図１に示す容器入り溶接用ワイヤの模式的断面図である。
【図３】図１におけるワイヤ押え治具の模式的平面図である。
【図４】図１におけるワイヤ押え治具の模式的断面図である。
【図５】図１におけるワイヤ引き出し空間規制用筒状体によるワイヤ引き出し空間を説明するための図である。
【図６】本発明の第２実施形態による容器入り溶接用ワイヤを模式的に示す一部破断斜視図である。
【図７】図６におけるワイヤ引き出し空間規制用筒状体を示す図であって、その（ａ）は平面図、その（ｂ）は正面図である。
【図８】ワイヤ積層体拘束治具の構成要素である筒状枠体を示す図であって、その（ａ）は平面図、その（ｂ）は正面面図である。
【図９】ワイヤ積層体拘束治具を説明するための断面図である。
【図１０】従来の溶接ワイヤ充填ペイルを示す図であって、内・外筒の軸線と垂直方向の断面図である。
【図１１】図１０におけるワイヤ押え治具の斜視図である。
【図１２】従来のワイヤ積層体拘束治具の構成要素である筒状本体枠を示す図であって、その（ａ）は平面図、その（ｂ）は正面図である。
【図１３】従来のワイヤ積層体拘束治具の構成要素である筒状枠体を示す図であって、その（ａ）は平面図、その（ｂ）は正面図である。
【図１４】従来のワイヤ積層体拘束治具を説明するための断面図である。
【符号の説明】
１…容器　２…内筒　３…ワイヤ押え治具　３ａ…環状枠体　３ｂ…ワイヤ押え片　４…ワイヤ引き出し空間規制用筒状体　５…ワイヤ引き出し空間規制用筒状体　５ａ…ゴム通し孔　６Ａ〜６Ｆ…帯状ゴム紐　７…筒状枠体　７ａ…係合切欠部　Ｗ…溶接用ワイヤ　Ｗ’…ワイヤ積層体　Ｓ…ワイヤ引き出し空間
【図１】
2004025220.tif 000003
【図２】
2004025220.tif 000004
【図３】
2004025220.tif 000005
【図４】
2004025220.tif 000006
【図５】
2004025220.tif 000007
【図６】
2004025220.tif 000008
【図７】
2004025220.tif 000009
【図８】
2004025220.tif 000010
【図９】
2004025220.tif 000011
【図１０】
2004025220.tif 000012
【図１１】
2004025220.tif 000013
【図１２】
2004025220.tif 000014
【図１３】
2004025220.tif 000015
【図１４】
2004025220.tif 000016